(57)【要約】      （修正有）【課題】あらゆるサイズへの変化を実現できる斬新な視覚効果を有する時計を提供する。【解決手段】レーザー投影時計１００は、駆動装置と、１つまたは複数の時計針光源投影装置２０と、１つまたは複数のグレーティング３０を有する。駆動装置は１つまたは複数の回転軸と、１つまたは複数の回転軸を異なる速度で回転させる動力ユニットを有する。１つまたは複数の時計針光源投影装置２０は駆動装置の片側に設置され、それぞれレーザービームを出力する。グレーティング３０は１つまたは複数の回転軸１つにつき１つずつ対応して設置され、１つまたは複数の回転軸により回転する。グレーティング３０は表示画像を有し、レーザービームがグレーティング３０の表示画像を透過することで投影面上に１つまたは複数のレーザー表示を投影する。【選択図】図１
2019086501.tif 000002
【特許請求の範囲】
【請求項１】
レーザー投影時計であって、
１つまたは複数の回転軸と、前記１つまたは複数の回転軸を異なる速度で回転させる動力ユニットを有する駆動装置と、
前記駆動装置の片側に設置され、レーザービームを出力する１つまたは複数の時計針光源投影装置と、
前記１つまたは複数の回転軸１つにつき１つずつ対応して設置され、前記１つまたは複数の回転軸により回転する１つまたは複数のグレーティングを有し、
前記グレーティングは表示画像を有し、前記レーザービームが前記グレーティングの表示画像を透過することで投影面上に１つまたは複数のレーザー表示を投影することを特徴とするレーザー投影時計。
【請求項２】
前記グレーティングは回折光学素子またはホログラムであることを特徴とする請求項１に記載のレーザー投影時計。
【請求項３】
複数の前記時計針光源投影装置は片側に向かって傾斜しており、これにより投影される複数の前記レーザー表示が前記投影面の同一位置上に交わることを特徴とする請求項１に記載のレーザー投影時計。
【請求項４】
前記時計針光源投影装置はそれぞれレーザー出力ユニットと、前記レーザー出力ユニットの片側に設置される傾斜調整ユニットを有することを特徴とする請求項１に記載のレーザー投影時計。
【請求項５】
前記傾斜調整ユニットはそれぞれＸ軸微調整ユニットと、Ｙ軸微調整ユニットと、前記Ｘ軸微調整ユニットと前記Ｙ軸微調整ユニットの中間の向かい側に設置される１つまたは複数の弾性ユニットを有し、前記Ｘ軸微調整ユニットは前記レーザー出力ユニットの第一側面に設置され、前記Ｙ軸微調整ユニットは前記レーザー出力ユニットの前記第一側面から特定夾角にある第二側面上に設置され、前記Ｘ軸微調整ユニット及び前記Ｙ軸微調整ユニットは異なる側面から間接的に前記弾性ユニットを圧迫し、これにより前記レーザー出力ユニットを調整することを特徴とする請求項４に記載のレーザー投影時計。
【請求項６】
前記Ｘ軸微調整ユニットはめねじ部を有するレールと、前記めねじ部上に設置されるおねじ部を有し、前記おねじ部は前記めねじ部に螺合され、前記レールの方向に沿って移動し、前記レールの片側から前記レーザー出力ユニットの片側にある前記弾性ユニットを圧迫することで前記レーザー出力ユニットのＸ軸方向の傾斜角を調整することを特徴とする請求項５に記載のレーザー投影時計。
【請求項７】
前記Ｙ軸微調整ユニットはめねじ部を有するレールと、前記めねじ部上に設置されるおねじ部を有し、前記おねじ部は前記めねじ部に螺合され、前記レールの方向に沿って移動し、前記レールの片側から前記レーザー出力ユニットの片側にある前記弾性ユニットを圧迫することで前記レーザー出力ユニットのＹ軸方向の傾斜角を調整することを特徴とする請求項５に記載のレーザー投影時計。
【請求項８】
前記レーザー投影時計は更に、文字板光源投影装置と、前記文字板光源投影装置の片側に設置される固定グレーティングを有し、前記文字板光源投影装置のレーザービームは前記固定グレーティングを透過することで前記投影面上に文字板画像を投影することを特徴とする請求項１に記載のレーザー投影時計。
【請求項９】
前記固定グレーティングは環状に並んだ複数の識別画像を有し、前記識別画像は文字、数字または図形を含むことを特徴とする請求項８に記載のレーザー投影時計。
【請求項１０】
前記駆動装置は１つまたは複数のメカニカルムーブメントまたはクオーツムーブメントであることを特徴とする請求項１に記載のレーザー投影時計。
【発明の詳細な説明】
【技術分野】
【０００１】
本件出願に係る発明は、時計に関し、特に、レーザービームをグレーティングに透過させ投影するレーザー投影時計に関する。
【背景技術】
【０００２】
止まらず流れ続け、戻すことのできない時間は、有限な時間の中に生きる人類にとって非常に大切なものである。そのため、古来より人類は、時間をより正確に把握するために、多くの種類の時間を計測する道具を研究し、発展させてきた。
【０００３】
古代には水や砂を使った水時計や砂時計、影の変化を利用した日時計、油の燃える量を基にした火時計等が利用されており、現代では機械や電子の原理を利用した振り子時計、クオーツ時計や原子時計などが開発された。これらは我々に正確かつ良好な時間の概念を提供し、適切な時間配分を学習し、一分一秒を大切にすることを促した。
【発明の概要】
【発明が解決しようとする課題】
【０００４】
現在よく見る時計は、実体を持つ時計針を配置し、文字板には時間を表す数字や目盛が印刷または彫られているものが多い。しかし、部品の製造や配置の制約の関係で、これらの時計はあまり大きなサイズを実現することができず、また、一般的な規格の時計は外観上もあまり視覚的な目新しさはなく、新しいものを好む現代人にとって物足りないものとなっている。これらの問題に対し、発明人は斬新かつ創意あふれる一般的な様式とは離れた時計を構想した。
【０００５】
本発明は、現行の時計があらゆるサイズへの変化を実現できない問題を解決することを目的とする。
【課題を解決するための手段】
【０００６】
上記課題を解決するために、本発明はレーザー投影時計であって、
１つまたは複数の回転軸と、前記１つまたは複数の回転軸を異なる速度で回転させる動力ユニットを有する駆動装置と、
前記駆動装置の片側に設置され、レーザービームを出力する１つまたは複数の時計針光源投影装置と、
前記１つまたは複数の回転軸１つにつき１つずつ対応して設置され、前記１つまたは複数の回転軸により回転する１つまたは複数のグレーティングを有し、
前記グレーティングは表示画像を有し、前記レーザービームが前記グレーティングの表示画像を透過することで投影面上に１つまたは複数のレーザー表示を投影することを特徴とするレーザー投影時計を提供する。
【０００７】
さらに、前記グレーティングは回折光学素子またはホログラムである。
【０００８】
さらに、複数の前記時計針光源投影装置は片側に向かって傾斜しており、これにより投影される複数の前記レーザー表示が前記投影面の同一位置上に交わる。
【０００９】
さらに、前記時計針光源投影装置はそれぞれレーザー出力ユニットと、前記レーザー出力ユニットの片側に設置される傾斜調整ユニットを有する。
【００１０】
さらに、前記傾斜調整ユニットはそれぞれＸ軸微調整ユニットと、Ｙ軸微調整ユニットと、前記Ｘ軸微調整ユニットと前記Ｙ軸微調整ユニットの中間の向かい側に設置される１つまたは複数の弾性ユニットを有し、前記Ｘ軸微調整ユニットは前記レーザー出力ユニットの第一側面に設置され、前記Ｙ軸微調整ユニットは前記レーザー出力ユニットの前記第一側面から特定夾角にある第二側面上に設置され、前記Ｘ軸微調整ユニット及び前記Ｙ軸微調整ユニットは異なる側面から間接的に前記弾性ユニットを圧迫し、これにより前記レーザー出力ユニットを調整する。
【００１１】
さらに、前記Ｘ軸微調整ユニットはめねじ部を有するレールと、前記めねじ部上に設置されるおねじ部を有し、前記おねじ部は前記めねじ部に螺合され、前記レールの方向に沿って移動し、前記レールの片側から前記レーザー出力ユニットの片側にある前記弾性ユニットを圧迫することで前記レーザー出力ユニットのＸ軸方向の傾斜角を調整する。
【００１２】
さらに、前記Ｙ軸微調整ユニットはめねじ部を有するレールと、前記めねじ部上に設置されるおねじ部を有し、前記おねじ部は前記めねじ部に螺合され、前記レールの方向に沿って移動し、前記レールの片側から前記レーザー出力ユニットの片側にある前記弾性ユニットを圧迫することで前記レーザー出力ユニットのＹ軸方向の傾斜角を調整する。
【００１３】
さらに、前記レーザー投影時計は更に、文字板光源投影装置と、前記文字板光源投影装置の片側に設置される固定グレーティングを有し、前記文字板光源投影装置のレーザービームは前記固定グレーティングを透過することで前記投影面上に文字板画像を投影すること。
【００１４】
さらに、前記固定グレーティングは環状に並んだ複数の識別画像を有し、前記識別画像は文字、数字または図形を含むこと。
【００１５】
さらに、前記駆動装置は１つまたは複数のメカニカルムーブメントまたはクオーツムーブメントである。  
【００１６】
本発明のレーザー投影時計は、異なる回転軸上で異なる速度で回転するグレーティングを設置し、グレーティングの片側に設置される時計針光源投影装置が出力したレーザービームがグレーティングを透過し、時、分、秒を表すレーザー表示を投影することを特徴とする。これにより、一般的な時計とは一線を画す斬新な視覚効果を得られる。
【００１７】
本発明のレーザー投影時計はまた、レーザービームを調整し、１つまたは複数のレーザー表示が同一位置に交わるように、または異なる位置に分かれるように調節する傾斜調整ユニットを提供する。
【００１８】
本発明のレーザー投影時計はまた、レーザー表示を投影することで時間を表示するための仮想文字板を形成するための文字板光源投影装置及び固定グレーティングを提供する。
【図面の簡単な説明】
【００１９】
【図１】本発明のレーザー投影時計を示す部分透過図である。
【図２】本発明のレーザー投影時計を異なる角度から見た部分透過図である。
【図３】本発明のレーザー投影時計を示す正面図である。
【図４】本発明のグレーティングを示す第一説明図である。
【図５】本発明のグレーティングを示す第二説明図である。
【図６】本発明のグレーティングを示す第三説明図である。
【図７】本発明の固定グレーティングを示す説明図である。
【図８】本発明のレーザー投影時計のレーザービームの調整を示す正面説明図である。
【図９】本発明のレーザー投影時計のレーザービームの調整を示す側面説明図である。
【図１０】本発明のレーザー投影時計の使用状態を示す説明図である。
【図１１−１】本発明のレーザー投影時計の異なる使用状態を示す第一説明図である。
【図１１−２】本発明のレーザー投影時計の異なる使用状態を示す第二説明図である。
【発明を実施するための形態】
【００２０】
以下、本発明の技術内容を図面に基づいて説明する。なお、以下に説明する構成は本発明の技術的範囲を限定するものではない。
【００２１】
図１及び図２は本発明のレーザー投影時計を異なる角度から示した部分透過図である。
【００２２】
レーザー投影時計１００は、駆動装置１０と、１つまたは複数の時計針光源投影装置２０と、１つまたは複数のグレーティング３０を有する。レーザー投影時計１００はレーザービームＬをそれぞれグレーティング３０に透過させ、グレーティング３０上の画像を投影する特性を利用することで、レーザービームＬの投影ができる範囲内のあらゆる建物、場所や空間に時間を表示することができる。
【００２３】
駆動装置１０は１つまたは複数の回転軸１１と、１つまたは複数の回転軸１１を異なる速度で回転させる動力ユニット１２を有する。より好ましい実施の形態において、１つまたは複数の回転軸１１は１つまたは複数の歯車１３の軸心上に設置される。１つまたは複数の歯車１３は互いに噛み合っており、歯車１３はそれぞれ異なる歯車比を持つ。動力ユニット１２が１つまたは複数の歯車１３を回転させることで、１つまたは複数の回転軸１１は異なる速度で回転する。
【００２４】
より好ましい実施の形態において、駆動装置１０は１つまたは複数の歯車１３を回転させる動力ユニット１２としてゼンマイを利用するメカニカルムーブメントである。前記メカニカルムーブメントは更に速度を調整するためのエスケープメントデバイス（Escapement device）及びバランスホイールとヘアスプリングシステム（Balance wheel and hairspring system）を有し、これにより歯車１３上の回転軸１１がグレーティング３０を安定して回転させる。別のより好ましい実施の形態において、駆動装置１０は歯車１３を回転させる動力ユニット１２として電池を利用するクオーツムーブメントである。前記クオーツムーブメントはさらに水晶振動子、ＩＣ回路板、及び巻線を有するステップモーターを有する。前記ステップモーターはＩＣ回路板が水晶振動子の信号を受け取り、これにより歯車１３上の回転軸１１がグレーティング３０を安定して回転させる。回転軸１１を回転させる動力ユニット１２の種類については、本発明において上述の実施の形態に限定するものではなく、回転軸１１を安定して回転させることのできるあらゆる装置でもよい。
【００２５】
１つまたは複数の時計針光源投影装置２０は駆動装置１０の片側に設置され、それぞれレーザービームＬを出力する。１つまたは複数のグレーティング３０はそれぞれ１つにつき１つの回転軸１１上に設置され、回転軸１１により回転する。より好ましい実施の形態において、グレーティング３０は回折光学素子（Ｄｉｆｆｒａｃｔｉｏｎ  Ｏｐｔｉｃａｌ  Ｅｌｅｍｅｎｔ）である。別のより好ましい実施の形態において、グレーティング３０はホログラムである。前記ホログラムは光学式撮影によって生成され、特定の波長を発生させる作用があり、撮影されたホログラムは複雑な干渉縞を記録する。これによりレーザービームＬを当該ホログラムに射出すると回折現象を起こす。
【００２６】
図１及び図２を参照の上で、図３に示すとおり、レーザー投影時計１００は３つの時計針光源投影装置２０及びグレーティング３０（すなわちグレーティング３０Ａからグレーティング３０Ｃ）がそれぞれ対応して設置されている。このうち、グレーティング３０Ａからグレーティング３０Ｃはそれぞれ、時、分、秒を示すレーザー表示を投影するためのものである。本発明において、時計針光源投影装置２０及びグレーティング３０の設置数について上述の形態に限定するものではなく、２つの時計針光源投影装置２０及びグレーティング３０（すなわちグレーティング３０Ａ及びグレーティング３０Ｂ）をそれぞれ対応して設置し、時、分を示すレーザー表示を投影するために用いることとしてもよく、本発明ではこれに限定しない。グレーティング３０Ａからグレーティング３０Ｃと時、分、秒の設置関係は、製造者または設計者の計画に従い実施し得るものであり、本発明ではこれに限定しない。
【００２７】
グレーティング３０は表示画像を有し、時計針光源投影装置２０のレーザービームＬはグレーティング３０上の表示画像を透過することで、投影面Ｐ（図１１−１に示す）上にレーザー表示を投影する。より好ましい実施の形態において、図４から図６までに示すとおり、グレーティング３０Ａは時針を表す表示画像３１Ａを有し、グレーティング３０Ｂは分針を表す表示画像３１Ｂを有し、グレーティング３０Ｃは秒針を表す表示画像３１Ｃを有する。表示画像３１Ａから表示画像３１Ｃの外観は線状である。このうち、表示画像３１Ａの長さは表示画像３１Ｂの長さより短く、かつ表示画像３１Ａの幅は表示画像３１Ｂの幅より広い。表示画像３１Ｃの長さは表示画像３１Ｂの長さとほぼ等しく、かつ表示画像３１Ｃの幅は表示画像３１Ｂの幅より狭い。レーザービームＬがそれぞれグレーティング３０Ａ、グレーティング３０Ｂ、グレーティング３０Ｃを透過することで、それぞれ投影面Ｐ上に時、分、秒を表すレーザー表示を投影する。本発明において、表示画像３１Ａから表示画像３１Ｃの具体的な実施例については上述の形態に限定するものではなく、表示画像３１Ａから表示画像３１Ｃはそれぞれの長さ、幅、形状等を異なる画像としてもよく、投影された複数のレーザー表示が判別しやすいものであればよい。
【００２８】
より好ましい実施の形態において、投影面Ｐは複数のレーザー表示を投影するための実体のある文字板であり、壁上に設置されたシール、パネル、カバー等とすることができる。前記実体のある文字板は前記レーザー表示に対応する文字、数字または画像を有し、１２時間制または２４時間制の文字板を表す様式または規格である。別のより好ましい実施の形態において、投影面Ｐは壁面または幕上にビームを投影した仮想文字板としてもよい。図３に示すとおり、レーザー投影時計１００は更に文字板光源投影装置４０及び文字板光源投影装置４０の片側に設置される固定グレーティング５０を有する。文字板光源投影装置４０のレーザービームＬは固定グレーティング５０を透過し投影面Ｐ上に文字板画像を投影する。実際に使用する上での需要や空間の制約に照らし、必要であれば文字板光源投影装置４０をオンにし前記文字板画像を投影し、前記文字板画像が必要無ければ文字板光源投影装置４０をオフにすることができる。
【００２９】
固定グレーティング５０は環状に配置された複数の識別画像５１を有する。識別画像５１は、文字、数字または図形による文字板を表す様式または規格を表現する。より好ましい実施の形態において、図７に示すとおり、識別画像５１は時計回りに増加するよう配置された複数のアラビア数字５１１を有する。アラビア数字５１１の片側には線状の図形５１２が配置される。線状の図形５１２の間には複数の円状の図形５１３が等間隔に配置される。線状の図形５１２及び円状の図形５１３は時刻の目盛を表す。本発明において、識別画像５１の具体的な実施例については上述の形態に限定するものではなく、識別画像５１は文字や数字のみを配置し、または時間を判別することのできる図形を複数配置してもよい。
【００３０】
図８に示すとおり、より好ましい実施の形態において、時計針光源投影装置２０はそれぞれレーザー出力ユニット２１と、レーザー出力ユニット２１の片側に設置される傾斜調整ユニット２２を有する。レーザー出力ユニット２１はレーザービームＬを出力する。傾斜調整ユニット２２はレーザービームＬの出力方向を調整するのに用い、これにより１つまたは複数のレーザー表示が投影面Ｐの同一位置上に重なるようにすることができる。別のより好ましい実施の形態において、時計針光源投影装置２０はグレーティング３０の軸心と平行に設置され、光を屈折させることができる部材（図示せず）を利用しレーザービームＬの出力方向を変えることができる。このうち、グレーティング３０の片側に前記光を屈折させる部材としてレンズを設置すれば、レーザービームＬがグレーティング３０及び前記レンズを透過することで、レーザービームＬの方向を屈折させることができる。または、グレーティング３０の片側に１つまたは複数の鏡を設置することでもレーザービームＬの出力方向を変えることができる。
【００３１】
図９に示すとおり、別のより好ましい実施の形態において、複数の時計針光源投影装置２０は片側に向かって傾斜しており、複数のレーザー表示が投影面Ｐの同一位置上に交わるように投影する。傾斜調整ユニット２２はそれぞれＸ軸微調整ユニット２２１と、Ｙ軸微調整ユニット２２２と、Ｘ軸微調整ユニット２２１とＹ軸微調整ユニット２２２の中間の向かい側に設置される１つまたは複数の弾性ユニット２２３を有する。Ｘ軸微調整ユニット２２１はレーザー出力ユニット２１の第一側面に設置され、Ｙ軸微調整ユニット２２２はレーザー出力ユニット２１の前記第一側面から特定夾角にある第二側面上に設置される。Ｘ軸微調整ユニット２２１及びＹ軸微調整ユニット２２２は異なる側面から間接的に弾性ユニット２２３を圧迫し、レーザー出力ユニット２１を調整する。より好ましい実施の形態において、弾性ユニット２２３はばねまたは反発力を持つ部材である。本発明において、Ｘ軸微調整ユニット２２１及びＹ軸微調整ユニット２２２間の夾角角度については図８に示す９０度に限定せず、当該夾角角度は製造者または設計者の計画に従い実施し得るものであり、本発明ではこれに限定しない。
【００３２】
Ｘ軸微調整ユニット２２１はめねじ部を有するレール２２１１と、前記めねじ部上に設置されるおねじ部２２１２を有する。おねじ部２２１２は前記めねじ部に螺合され、レール２２１１の方向に沿って移動し、レール２２１１の片側からレーザー出力ユニット２１の片側にある弾性ユニット２２３を圧迫することでレーザー出力ユニット２１のＸ軸方向の傾斜角を調整する。
【００３３】
Ｙ軸微調整ユニット２２２はＸ軸微調整ユニット２２１と同様の構造をしており、その差異は設置する方向のみである。Ｙ軸微調整ユニット２２２はめねじ部を有するレール２２２１と、前記めねじ部上に設置されるおねじ部２２２２を有する。おねじ部２２２２は前記めねじ部に螺合され、レール２２２１の方向に沿って移動し、レール２２２１の片側からレーザー出力ユニット２１の片側にある弾性ユニット２２３を圧迫することでレーザー出力ユニット２１のＹ軸方向の傾斜角を調整する。
【００３４】
本発明における駆動装置１０、時計針光源投影装置２０、文字板光源投影装置４０等の装置は更に電源線（図示せず）を有する。前記電源線は給電設備と電気的に接続され、これにより上述の装置は作動する。
【００３５】
以下では、本発明のレーザー投影時計の使用状態を、二つのより好ましい実施の形態に基づいて説明する。本発明の具体的な実施例については以下の形態に限定するものではない。図１０から図１１−２までは、本発明のレーザー投影時計の二種類の使用状態を示す説明図である。
【００３６】
図１０に示すとおり、複数の時計針光源投影装置２０のレーザービームＬがそれぞれ対応して設置されるグレーティング３０（すなわちグレーティング３０Ａからグレーティング３０Ｃ）を透過する際、レーザービームＬはそれぞれ傾斜調整ユニット２２によりその出力角度を調整され、複数の投影面Ｐ１からＰ３に一つずつレーザー表示（すなわち時針Ｈ１、分針Ｈ２、秒針Ｈ３）が投影される。複数の投影面Ｐ１からＰ３は左から右へ順に時、分、秒を表す文字、数字または目盛を有し、投影面Ｐ１からＰ３に投影されるレーザー表示から時間を読み取ることができる。複数の投影面Ｐ１からＰ３の並べ方は上述の形態に限らず、上から下、環状その他あらゆる並べ方でもよい。複数の投影面Ｐ１からＰ３は、複数の実体のある文字板、仮想文字板または実体のある文字板と仮想文字板を同時に設置してもよく、本発明において、複数の投影面Ｐ１からＰ３の具体的な実施の形態についてはこれを限定しない。
【００３７】
図１１−１及び図１１−２に示すとおり、複数のレーザー表示（すなわち時針Ｈ１、分針Ｈ２、秒針Ｈ３）が投影面Ｐの同一位置で交わらない場合、レーザー出力ユニット２１の出力方向を傾斜調整ユニット２２によりＸ軸方向及び／またはＹ軸方向それぞれ調整することで、レーザービームＬを微調整することができる。これにより時針Ｈ１、分針Ｈ２及び秒針Ｈ３は投影面Ｐの同一位置に交わることができ、斬新な視覚効果を有する時計を提供することができる。
【００３８】
上述のとおり、本発明は、異なる回転軸上に異なる速度で回転するグレーティングを設置し、グレーティングの片側に設置された時計針光源投影装置から出力されるレーザービームがグレーティングを透過することで、時、分、秒を表すレーザー表示を投影する。更に、レーザービームを調整する傾斜調整ユニットにより、複数のレーザー表示が同一位置上で交わるように調整することができ、または異なる位置に表示することができる。また、文字板光源投影装置及び固定グレーティングにより、レーザー表示を投影し時間を表示するための仮想文字板を投影することができる。
【００３９】
上述において、本発明の説明の利便性のために最良の実施例を挙げて説明したが、これらの実施例は本発明の請求の範囲を限定するものではなく、本発明に基づく本発明の要旨を逸脱しないあらゆる変更は本発明の請求の範囲に含まれる。
【符号の説明】
【００４０】
１００         レーザー投影時計
１０           駆動装置
１１           回転軸
１２           動力ユニット
１３           歯車
２０           時計針光源投影装置
２１           レーザー出力ユニット
２２           傾斜調整ユニット
２２１         Ｘ軸微調整ユニット
２２１１       レール
２２１２       おねじ部
２２２         Ｙ軸微調整ユニット
２２２１       レール
２２２２       おねじ部
２２３         弾性ユニット
３０           グレーティング
３０Ａ         グレーティング
３１Ａ         表示画像
３０Ｂ         グレーティング
３１Ｂ         表示画像
３０Ｃ         グレーティング
３１Ｃ         表示画像
４０           文字板光源投影装置
５０           固定グレーティング
５１           識別画像
５１１         アラビア数字
５１２         線状図形
５１３         円状図形
Ｌ             レーザービーム
Ｐ             投影面
Ｐ１〜Ｐ３     投影面
Ｈ１           時針
Ｈ２           分針
Ｈ３           秒針 
【図１】
2019086501.tif 000003
【図２】
2019086501.tif 000004
【図３】
2019086501.tif 000005
【図４】
2019086501.tif 000006
【図５】
2019086501.tif 000007
【図６】
2019086501.tif 000008
【図７】
2019086501.tif 000009
【図８】
2019086501.tif 000010
【図９】
2019086501.tif 000011
【図１０】
2019086501.tif 000012
【図１１−１】
2019086501.tif 000013
【図１１−２】
2019086501.tif 000014